(57)【要約】水タンクと加熱デバイス４を含む温水装置１であって、タンクは複数の導管５を備え、導管５は個別であって並置され、その一次末端において温水取入れ部分に接合され、導管５の二次末端は共通水加熱部分において終端していることを特徴とする、装置１を提供する。本発明は家庭用の水の加熱に使用することを目的とする。
2009535600.tif 000002
【特許請求の範囲】
【請求項１】
水タンクおよび加熱手段（４）を含み、タンクは個別の隣接する複数の導管（５）から構成され、導管の一次末端は温水を収集するための共通部において終端し、導管の二次末端は水を加熱するための共通部において終端する、水を加熱するための装置（１）であって、
導管（５）は矩形断面を有し、水を加熱するための共通部は導管（５）に直角に配置された加熱手段（４）を受け入れ可能であることを特徴とする装置（１）。
【請求項２】
導管（５）が、並置されて接合された矩形断面の管材で作られていることを特徴とする請求項１に記載の装置（１）。
【請求項３】
導管（５）が、チューブ間空間によって互いに分離された一連の矩形断面のチューブで形成されていることを特徴とする請求項１に記載の装置（１）。
【請求項４】
導管（５）が、離隔して２つの壁（１１）の間を横断して延在する隔壁（１０）から形成されていることを特徴とする請求項１に記載の装置（１）。
【請求項５】
隔壁（１０）が、その周囲に、壁（１１）上に置かれた受入れスロットと協働することができる突出ほぞの少なくとも２つの対向する側を備えていることを特徴とする請求項４に記載の装置（１）。
【請求項６】
温水を収集するための共通部（２）と水を加熱するための共通部（３）が、概して対称であり寸法が同一であることを特徴とする請求項１から５のいずれか一項に記載の装置（１）。
【請求項７】
共通部（２、３）の少なくとも１つが、導管（５）の周りの外壁を重なり合う外壁を有することを特徴とする請求項１から６のいずれか一項に記載の装置（１）。
【請求項８】
温水を収集するための共通部（２）と水を加熱するための共通部（３）が、加熱手段を受け入れることができる少なくとも１つの差し込み可能なオリフィスを有することを特徴とする請求項１から７のいずれか一項に記載の装置（１）。
【請求項９】
断熱材料によって完全に囲まれたことを特徴とする請求項１から８のいずれか一項に記載の装置（１）。
【請求項１０】
逆転可能であることを特徴とする請求項１から９のいずれか一項に記載の装置（１）。
【発明の詳細な説明】
【技術分野】
【０００１】
本発明は、水タンクと水を加熱するための手段とを含む温水装置に関する。
【０００２】
本発明は家庭用の水の加熱を目的としている。
【背景技術】
【０００３】
温水装置は従来から円筒状であり、したがってかなりのスペースを取る。
【０００４】
しかし、資料米国特許第４５５１６１２号に記載されているような平らな形状を有する温水器がある。そこに記載された温水器は平坦で平行六面体の形状を有している。装置の中に入っている水の圧力に耐えるために、内壁はぎざぎざに形成されてきた。この装置は、これらの小鈍鋸歯に垂直にさまざまな高さに置かれたいくつかの抵抗体を備えている。
【０００５】
この装置では、圧力に耐えるためにぎざぎざの壁をあまり大きく離隔させることはできないので、少量の水しか加熱できない。
【０００６】
資料英国特許第７３１７６９号には、複数の垂直区画を有し、１つの区画は抵抗体を収容し、他の区画は温水を収集するための手段を収容する平形温水器が記載されている。その構造が原因で、この装置は熱的不均衡をきたし、各区画は水の動きが制限されるので同じ温度で加熱されない。
【０００７】
資料ドイツ特許第４０１２２０３号には、下部に１つの抵抗体と複数の円筒状区画とを備えた温水器が記載されている。この温水器には、区画の形状が原因で区画間での熱損失が大きいなどの多くの欠点がある。さらにまたこの形状は、温水器の中に貯蔵できる水の容積を減少させる。最終的に、温水器をその上部において温水と冷水とに連結しなければならない。管類が誤って位置付けられた場合には配管作業が必要になる。
【特許文献１】米国特許第４５５１６１２号
【特許文献２】英国特許第７３１７６９号
【特許文献３】ドイツ特許第４０１２２０３号
【発明の開示】
【発明が解決しようとする課題】
【０００８】
本発明は、水タンクおよび加熱手段から構成される温水装置であって、タンクが一連の個別の並置された導管を有し、これらの導管の一次末端は共通水収集部の内部に出ており、これらの二次末端は共通水加熱部に出ていること、また導管は矩形断面を有し、共通水加熱部は導管に直角に位置付けられた加熱手段を受け入れ可能であることを特徴とする、温水装置を提案することによって上記の問題のすべてまたは一部を解決することを意図する。
【課題を解決するための手段】
【０００９】
本発明の利点は、平坦な平行六面体の形でありながら大容積の水の保持および加熱ができることである。
【００１０】
実際、内部構造は、共通温水収集部で終わる個別の並置された導管からなり、水圧に耐える装置の能力を強化し、水の移動を増進し、したがって装置の中で起こる対流を増進する。
【００１１】
ある特定の実施形態では、個別の並置された導管はその二次末端が共通水加熱部に出ている。
【００１２】
本発明による装置の別の利点は、導管の矩形断面である。したがって矩形断面の導管が並置され、これによって導管間の熱損失は大きく減少する。そのうえ、導管の矩形断面は、装置が大容量の水を所定の空間内に含むのに最適である。
【００１３】
導管に対する加熱手段の直角な位置は、温水器内部の水の対流を改善することになり、したがって温水器の効率を向上させる。
【００１４】
そのうえ、少なくとも１つの共通部分の外壁は導管の周りの外壁と重なることが有利である。この構造は水圧に耐える装置の能力を向上させる助けになる。
【００１５】
２つの共通部は、加熱手段を受け入れるために少なくとも１つの差し込み可能なオリフィスを備えてもよい。
【００１６】
本発明の別の利点は、遭遇する外部条件に適合するようにさまざまな位置で装置を使用できる可能性である。装置を１８０°または９０°回転することができる。
【００１７】
その他の目標および利点は、制限的ではない好ましい実施形態の下記の説明において明らかになろう。
【００１８】
第一に、本発明は、水タンクが複数の個別の隣接する導管からなり、導管の一次末端が温水を収集するための共通部において終端していることを特徴とする、水タンクと加熱手段を含む温水装置であることを覚えておくべきである。
【００１９】
本発明の好ましい代替実施形態によれば、温水装置は、
垂直導管の二次末端は共通水加熱部で終端し、
共通水加熱部および共通温水収集部は、導管に直角に位置する加熱手段を受け入れることができ、
導管は矩形断面を有し、
導管は、互いに離隔して２つの壁の間に横方向に延在する隔壁によって形成され、
隔壁の少なくとも２つの対向する側は、壁の上に配置された受入れスロット協働するための突出ほぞを備え、
導管は、並んで接合された矩形断面のチューブから作られ、
導管は、チューブ間空間だけ互いに離された一連の矩形断面チューブによって作られ、
温水を収集するための共通部と水を加熱するための共通部は、おおよそ対称であって同一の寸法を有し、
温水を収集するためのおよび水を加熱するための２つの共通部は、加熱手段を受け入れることができる少なくとも１つの差し込み可能なオリフィスを有し、
共通部の少なくとも１つは、導管の周りの外壁と重なり合う外壁を有し、
装置は断熱材料の中に完全に包まれる
ようになっている。
【００２０】
添付の図面は実施例として挙げたものであり、限定的なものではない。これらの図面は、本発明をより容易に理解できるようにする本発明の一実施形態のみを示す。
【発明を実施するための最良の形態】
【００２１】
温水装置１は、一次末端が共通部２で終端し、二次末端が相補共通部３で終端する個別の並んだ導管５から構成される。
【００２２】
共通部２が温水を収集するための温水排出管の開口部を含み、共通相補部３が加熱手段４を含み、したがって共通水加熱部であることは有利である。
【００２３】
導管５が並んで接合された矩形断面のチューブから形成されていることは有利である。
【００２４】
別の実施形態では、導管は、互いに分離して区分間空間を伴う一連の矩形断面のチューブで作られる。
【００２５】
さらに別の実施形態によれば、導管５は、規則的な間隔で、好ましくは２枚の壁１１の間を横切って延在する隔壁１０を位置付けることによって形成される。
【００２６】
２枚の壁１１は温水装置１の外核を構成する。
【００２７】
ある構成によれば、隔壁１１はその外周に沿って突出ほぞ１３を有する。壁１１と協働する２つの対向する側だけが突出ほぞ１３を備えることは有利である。
【００２８】
突出ほぞ１３は、壁１１の上に整列した受入れスロット１２と協働するように設計されている。
【００２９】
突出ほぞ１３が受入れスロット１２の中に挿入されると、受入れスロット１２の表面に沿って溶接１４が実施される。
【００３０】
この導管５の実施形態の利点は、溶接１４が隔壁１０の全長にわたって実施されず、ほぞ１３とスロット１２においてのみ実施されるので、組立の速度と低コストにある。
【００３１】
共通部２と相補共通部３がおおよそ対称であって、寸法が同一であり、両方とも加熱手段４を受け入れるための少なくとも１つの差し込み可能なオリフィス（図示せず）を含むことは有利である。
【００３２】
加熱手段４は、導管５の配列方向に直角な方向に向けられていることが好ましい。
【００３３】
装置１の水圧に対する抵抗を強化するために、共通部２または３の少なくとも１つの外壁は、導管５を囲む外壁と重なり合っている。
【００３４】
好ましい一実施形態では、装置１は断熱材料によって囲まれ、装置１からの熱損失を減少させる。
【００３５】
装置１は、図５による冷水の給送管であることが有利な短い管６と、図５による温水排出管であることが有利な、装置１の長さより僅かに短い長い管７とを有する。
【００３６】
装置１が排水手段８を備えていることは有利である。好ましい一実施形態では、装置１は壁に固定するための手段９を備えている。
【００３７】
装置１が、温水管の開口部とは反対の角度に位置する加熱手段４を有することは有利である。
【００３８】
同様に、加熱手段４が冷水給送管と同じ側に位置することは有利である。
【００３９】
好ましい一実施形態では、すべての管６、７、および８は装置の同じ側に位置している。
【００４０】
図５による装置の運転の例
冷水は短い管６を通じて相補共通部３において装置１に給送される。水は、水加熱用の相補共通部３に位置する加熱手段４によって加熱される。水が熱くなるほど、水はさらに、温水を収集するための共通部２に向かう導管５を通って上昇する。温水は長い管７によって収集され、管７の開口部は温水を収集するための共通部２に位置する。
【００４１】
図６による装置１の運転の例
水管が装置１の頂部を通じて入っている場合には、装置をこの方向配置で使用することができる。冷水は長い管７を通じて共通部２において装置１に到達する。水は、水加熱用の共通部２に位置する加熱手段４によって加熱される。水が熱くなるほど、水はさらに、温水を収集するために使用される相補共通部３に向かう導管５を通って上昇する。温水は短い管６によって収集され、管６の開口部は温水を収集するための共通部２に位置する。
【００４２】
別の運転方法（図示せず）によれば、装置１を水平に置くことができる。驚いたことに、導管の水平方向の配置は、対流が全く有効に維持されるように装置内の水循環の劣化を防止するということが観察されている。
【００４３】
タンクの断面を矩形または正方形にすることができる。
【図面の簡単な説明】
【００４４】
【図１】温水装置の断面図である。
【図２】断面ＡＡに沿った装置の側面図である。
【図３】断面ＣＣ上の装置の上面図である。
【図４】断面ＤＤ上の装置の上面図である。
【図５】水が装置の下部に入って出る方向配置にある、装置の概略正面図である。
【図６】水が装置の上部に入って出る、装置の概略正面図である。
【図７】別の実施形態による温水装置の前方断面図である。
【図８】図７における断面ＡＡ上の装置の上面図である。
【図９】図７の実施形態による温水装置の隔壁と壁の断面図である。
【図１０】温水装置の隔壁と壁との嵌合の詳細断面図である。
【図１１】温水装置の隔壁と壁との嵌合の別の詳細断面図である。
【図１２】温水装置の隔壁と壁との嵌合のさらに別の詳細断面図である。
【符号の説明】
【００４５】
１  温水装置
２  共通部
３  相補共通部
４  加熱手段
５  導管
６  短い管
７  長い管
８  排水手段
９  壁に固定するための手段
１０  隔壁
１１  壁
１２  受入れスロット
１３  突出ほぞ
１４  溶接部
【図１】
2009535600.tif 000003
【図２】
2009535600.tif 000004
【図３】
2009535600.tif 000005
【図４】
2009535600.tif 000006
【図５】
2009535600.tif 000007
【図６】
2009535600.tif 000008
【図７】
2009535600.tif 000009
【図８】
2009535600.tif 000010
【図９】
2009535600.tif 000011
【図１０】
2009535600.tif 000012
【図１１】
2009535600.tif 000013
【図１２】
2009535600.tif 000014
【国際調査報告】
2009535600.tif 000015
2009535600.tif 000016
2009535600.tif 000017
2009535600.tif 000018